(57)【要約】【課題】スライド・スイング式ドア装置において框戸であってもその扉の両側面で一度に施錠できる双頭のロック装置を提供する。【解決手段】双頭の錠システム２は、２つのラッチ錠４１，１４１と、このラッチ錠４１，１４１にそれぞれ対向させて配置するストライク５，１０５と、２つのラッチ錠４１、１４１を連結する錠連結機構２００とを備える。２つのラッチ錠４１，１４１および錠連結機構２００はドア１３内にその面内に沿って配置される。一方のラッチ錠４１は、ドアノブ２０を備え、このドアノブ２０を保持・回転させてドアを開閉するものであるため、回転軸３２とは反対側のドア１３の端面１３ａに開口して配置される。もう一方のラッチ錠１４１は、ラッチ錠４１の施錠・開錠に連動して作動するものであり、支柱３１側、すなわちドア１３のラッチ錠４１とは反対側の端面１３ｂに開口して配置される。【選択図】　図１
2004027779.tif 000002
【特許請求の範囲】
【請求項１】
開口部を形成する枠体に、当該開口部の幅方向にスライドしながら且つその前後方向にスイングして開閉するようにドアパネルを設けたスライド・スイング式ドアにおいて、ドアパネルのドアノブ側の錠と、ドアパネルの回転竪軸側の錠と、これら２つの錠を可撓性索条で連結しドアノブの回転操作により２つの錠を同時に施錠・開錠できる双頭のロック装置を有することを特徴とするスライド・スイング式ドア装置。
【請求項２】
開口部を形成する枠体に、当該開口部の幅方向にスライドしながら且つその前後方向にスイングして開閉するようにドアパネルを設けたスライド・スイング式ドアの、ドアパネルのドアノブ側の錠と、ドアパネルの回転竪軸側の錠と、これら２つの錠を可撓性索条で連結しドアノブの回転操作により２つの錠を同時に施錠・開錠できる錠連結機構とを備えることを特徴とする双頭のロック装置。
【請求項３】
前記ドアノブ側端部に取付けられる錠は、
錠ケースと、先端部がドアの端面から出没するよう錠ケース内に挿通された先端に磁石を備えるラッチと、錠ケースに対して回動自在に設けられたドアノブと、このドアノブの回動操作によってラッチを錠ケース内に没入させる回転シャフトと、ラッチを常時没入側に付勢するばね部材と、上記ラッチと対向してドア枠側に設けられラッチを突出させる磁石を底部に有するストライクと、を備えたドアのロック装置において、
（Ａ）前記錠連結機構の可撓性索条の一端をこの錠に接続するものであって上記ドアノブの回動操作によって前記回転シャフトを介して錠ケース内を前進し接続された可撓性索条を錠ケース内に引込む可撓性索条接続機構と、
（Ｂ）この可撓性索条接続機構を常に錠ケース後面側に付勢しドアノブ回転操作の開放によって前記可撓性索条を錠ケースから送出する復帰ばね部材と、
が錠ケース内に設けられたものであることを特徴とする請求項２記載の双頭のロック装置。
【請求項４】
前記回転竪軸側端部に取付けられる錠は、
錠ケースと、先端部がドアの端面から出没するよう錠ケース内に挿通された先端に磁石を備えるラッチと、ラッチを常時没入側に付勢するばね部材と、上記ラッチと対向してドア枠側に設けられラッチを突出させる磁石を底部に有するストライクと、を備えたドアのロック装置において、
（Ａ）前記錠連結機構の可撓性索条の他端をこの錠に接続するものであって前記ドアノブの回動操作によって接続された可撓性索条を錠ケース内から引出しラッチを錠ケース内に没入させる可撓性索条接続機構と、
（Ｂ）この可撓性索条接続機構を常に錠ケース前面側に付勢し前記ドアノブ回転操作の開放によって前記可撓性索条を錠ケース内に引き戻す復帰ばね機構と、が設けられたものであることを特徴とする請求項２記載の双頭のロック装置。
【発明の詳細な説明】
【０００１】
【発明の属する技術分野】
本発明は、スライド・スイング式ドアに係り、特にドアをラッチ錠を用いてロックするドアのロック装置に関する。
【０００２】
【従来の技術】
一般の住居用家屋やビルなどの建物や構造物において使用されるドア開閉の方式には種々のものがある。
【０００３】
これを開閉動作の様式から分類すると、スイング式、スライド式、折り畳み式、回転式などがある。とくに、近年、開閉時に必要な占有面積が小さいこと、大きな通過幅を確保し易いこと、建て付けが比較的容易であること、バリアフリーに対応可能であること等により、スライド方式とスイング方式を併用した形式のスライド・スイング方式のドア装置が脚光を浴びている。
【０００４】
もっとも、一口にスライド・スイング式ドアといってもその開閉方式によって種々のタイプがあるが、例えば竪軸回転式が知られている（特開２０００−２４８８２２公報）。
【０００５】
このスライド・スイング式ドアの概要を図１０に示す。
【０００６】
このドア装置は、ポールなどの支柱３１の上下端にスライドおよびスイング用のアーム１８または蝶番の一方の支軸をそれぞれ取り付け、このアームまたは蝶番のもう一方の支軸１８ａをドアパネル（パネル体）１３の上端面および下端面にそれぞれ取り付ける一方で、ドアパネル１３上端面に吊り車（例えば６輪吊り車）１７の支軸１７ａを取り付け、この吊り車１７を開口部上部の吊りレール１４に沿わせる構造のものである。
【０００７】
この方式は、支柱３１を隠蔽するカバーが不要であり、また床面にガイドレールを設ける必要がないので、バリアフリー化でき、レール内に塵や埃がたまらない等のメリットを有するものである。
【０００８】
このスライド・スイング式ドアの動作は、図１１に示すように、ドアを開くときには室内側ドアノブ２０ａを手動で引くまたは室外側ドアノブ２０ｂを押せばよい。これにより、ドアパネル１３は、図１１の仮想線Ｉの方向に動き、回転堅柱３１ａ側にスライドしながら、かつ前後方向にスイングしてドア開状態となる。反対にドアを閉めるときには、同図の仮想線ＩＩに示す経路でドア閉状態になる。
【０００９】
したがって、スライド・スイング式ドアは、通常のスイングドアと異なり、ドアパネル１３の両端面１３ａ，１３ｂがドア枠から分離しているため、そのロック装置も両端面にあることがセキュリティ上望ましい。しかし、ドアノブ２０側はともかく、回転堅柱３１ａ側も別途施錠するのは煩わしい。
【００１０】
そこで、発明者は、図１０に示すように、双頭の錠システムを開発した（前記特開２０００−２４８８２２公報）。
【００１１】
これは、ドアノブ２０側の錠をロックすることで反対側の錠も同時に施錠されるもので、二度手間にならないという特徴を有するものである。また、マグネット構造の錠を採用しているため、バネ構造のもののように、ドアの開放時にラッチがドアの端面から常に突出しているためラッチの先端部に衣服が引っ掛かって破れたり、同先端部に子供が顔や頭をぶつけて負傷したりする可能性があるとともに、ドアの閉鎖時にラッチがストライクに当接するため衝撃音が発生するという欠点がない。
【００１２】
【発明が解決しようとする課題】
しかしながら、かかる双頭の錠システムは、表面仕上げが平らなフラッシュ戸では問題ないが、扉本体の四週は框（かまち）や桟で囲われ、中央部にはガラスやパネル等の単板をはめ込んだ框戸では２つの錠を連結する双頭連結シャフト２１（図１０参照）が露出するため採用できないという問題があった。一方、このような框戸はデザイン性に優れるため需要が増えつつある。すなわち、デザイン性の高さとセキュリティの高さが両立しないという問題があった。
【００１３】
そこで、本発明は、上述した事情を考慮してなされたもので、スライド・スイング式ドアにおいて框戸であっても、その扉の両端面にロック装置を設けそれを一の操作で施錠、開錠できるロック装置を提供することを目的とするものである。
【００１４】
【課題を解決するための手段】
本発明に係るロック装置は、上述した課題を解決するために、請求項１に係るスライド・スイング式ドアは、ドアパネルのドアノブ側の錠と、ドアパネルの回転竪軸側の錠と、これら２つの錠を可撓性索条で連結しドアノブの回転操作により２つの錠を同時に施錠・開錠できる双頭のロック装置を有することを特徴とするものである。
【００１５】
次に、上述した課題を解決するために、請求項２に記載したように、ドアパネルのドアノブ側の錠と、ドアパネルの回転竪軸側の錠と、これら２つの錠を可撓性索条で連結しドアノブの回転操作により２つの錠を同時に施錠・開錠できる錠連結機構とを備えることを特徴とするものである。
【００１６】
そして、上述した課題を解決するために、請求項３に係る前記ドアノブ側端部に取付けられる錠は、錠ケースと、先端部がドアの端面から軸心方向に沿って出没するよう錠ケース内に挿通された先端に磁石を備えるラッチと、錠ケースに対して回動自在に設けられたドアノブと、このドアノブの回動操作によってラッチを錠ケース内に没入させる回転シャフトと、ラッチを常時没入側に付勢するばね部材と、上記ラッチと対向してドア枠側に設けられラッチを突出させる磁石を底部に有するストライクと、を備えたドアのロック装置において、（Ａ）前記錠連結機構の可撓性索条の一端をこの錠に接続するものであって上記ドアノブの回動操作によって前記回転シャフトを介して錠ケース内を前進し接続された可撓性索条を錠ケース内に引込む可撓性索条接続機構と、（Ｂ）この可撓性索条接続機構を常に錠ケース後面側に付勢しドアノブ回転操作の開放によって前記可撓性索条を錠ケースから送出する復帰ばね部材とが錠ケース内に設けられたことを特徴とするものである。
【００１７】
また、上述した課題を解決するために、請求項４に係る前記回転竪軸側端部に取付けられる錠は、錠ケースと、先端部がドアの端面から軸心方向に沿って出没するよう錠ケース内に挿通された先端に磁石を備えるラッチと、ラッチを常時没入側に付勢するばね部材と、上記ラッチと対向してドア枠側に設けられラッチを突出させる磁石を底部に有するストライクと、を備えたドアのロック装置において、（Ａ）前記錠連結機構の可撓性索条の他端をこの錠に接続するものであって前記ドアノブの回動操作によって接続された可撓性索条を錠ケース内から引出しラッチを錠ケース内に没入させる可撓性索条接続機構と、（Ｂ）この可撓性索条接続機構を常に錠ケース前面側に付勢し前記ドアノブ回転操作の開放によって前記可撓性索条を錠ケース内に引き戻す復帰ばね機構とが設けられたことを特徴とするものである。
【００１８】
【発明の実施の形態】
本発明に係る双頭の錠システム２を備えたスライド・スイング式ドア１について、添付図面を参照して説明する。
【００１９】
この双頭の錠システム２は、２つのマグネット構造のラッチ錠４１，１４１を連結してなるものであり、図１に示すように、２つのマグネット構造のラッチ錠４１，１４１と、このラッチ錠４１，１４１にそれぞれ対向させて配置するストライク５，１０５と、２つのラッチ錠４１、１４１を連結する錠連結機構２００とを備える。２つのラッチ錠４１，１４１および錠連結機構２００はドア１３内にその面内に沿って配置される。
【００２０】
本実施形態におけるドア１３はガラス戸であり、ドアの周囲を框１３ｃで囲まれた内部は１枚のガラス１３ｄであるため、両ラッチ錠４１，１４１を例えば鋼製ロッド等で直線的に連結すると、ロッドがガラス１３ｄの表面に沿って露出してドア１３を横断することになり、美観上好ましくないばかりか、セキュリティ上も問題がある。したがって、框１３ｃの内部を迂回して接続する必要がある。
【００２１】
一方のラッチ錠４１は、ドアノブ２０を備え、このドアノブ２０を保持・回転させてドアを開閉するものであるため、スライド・スイングの中心となる回転軸３２とは反対側のドア１３の端面１３ａに開口して配置される。もう一方のラッチ錠１４１は、ラッチ錠４１の施錠・開錠に連動して作動するものであり、支柱３１側、すなわちドア１３のラッチ錠４１とは反対側の端面１３ｂに開口して配置される。
【００２２】
錠連結機構２００は、ワイヤ２０１とそれを包んで保護するシース２０２およびこれらを双方のラッチ錠４１，１４１に接続する部分とからなり、ワイヤ２０１は両方のラッチ錠４１、１４１間でその軸を移動可能に設置されている。
【００２３】
なお、本実施の形態では、可撓性を有する索条としてワイヤを採用しているが、ケーブル、ロープ等であってもよい。
【００２４】
また、本実施の形態では、防汚、防錆の観点からワイヤ２０１をシース２０２内に挿入しているが、ドア１３の框１３ｃ内を露出して遊挿させてもよい。もっともこの場合は、ワイヤの進退を容易にするため、ワイヤが大きく撓むコーナー部等には回転自在のシーブ等を設ける必要がある。
【００２５】
また、ストライク５，１０５の内、一方のストライク５は縦枠１１ｓの側面にラッチ錠４１に対向して設置され、もう一方のストライク１０５はその反対側の支柱３１の側面にラッチ錠１４１に対向して設置されている。
【００２６】
図２において、４１は本発明で採用される双頭の錠システム２の一方のラッチ錠４１であり、部屋の出入口等のスライド・スイング式ドア１のドアパネル１３の支柱３１とは反対側の端部に取付けられ、ドア１３の端面１３ａからラッチ４２が出退し、ドア縦枠１１ｓに取付けたストライク５のストライクボックス６に嵌入或いは離脱するようになっている。ストライクボックス６の底部には永久磁石６７（または強磁性体）が固設されている。なお、本実施の形態で用いられる永久磁石は電磁石等であってもよい
ラッチ錠４１は、非磁性金属（例えば亜鉛）からなる長方形開口箱状の錠ケース４３と、その開口部（側面）を施蓋するカバー４４（図示せず）と、先端部がドア１３の端面１３ａから軸心方向に沿って出没するよう錠ケース４３内に挿通されたラッチ４２と、錠ケース４３に対して垂直方向に取付けられるドアノブ２０（図示せず）と、このドアノブ２０の回動操作によってラッチ４２を錠ケース４３内に没入させる回転シャフト４５と、ラッチ４２を常時没入側に付勢するコイルばね（ばね部材）４８とを備えている。
【００２７】
更に、ラッチ錠４１は、ドアを開くためのドアノブ操作後回転シャフト４５を元の位置に復帰させる復帰ばね４９と、ステンレス鋼板製のフロント５２とを備えている。
【００２８】
ラッチ４２は、円筒状のヘッド部４２ａと、このヘッド部４２ａの後端（没入側端）に同ヘッド部４２ａと同軸心状に突設された突出防止部４２ｂ、ロッド部４２ｃ、ロッド部４２ｃの突出防止部４２ｂ側概半分の長さを取巻くパイプ４２ｅおよびこのロッド部４２ｃの更に後端に設けられた係止部４２ｄとからなり、ヘッド部４２ａの先端は平坦面とされていて、かかるヘッド部４２ａの先端部分がストライク５のストライクボックス６に嵌入してドア１３をロックするようになっている。ヘッド部４２ａの先端には永久磁石６６が固設されている。
【００２９】
前記錠ケース４３は、ダイカスト製の箱形とされ、前端に長円形のフロント裏板４３ａを備えている。このフロント裏板４３ａの概中央部に、ラッチ４２の出退案内口５４が設けられ、長手　（上下）　方向両端部に、ラッチ錠４１をドア１３にビス止めするための取付孔５０およびフロント５２をフロント裏板４３ａにビス止めするための取付孔５１が設けられている。前記案内口５４に対応して、錠ケース４３の内部には、ロッド部４２ｃをその軸心方向に移動自在にガイドする案内壁５６が突設され、この案内壁５６の下部後方に、回転シャフト４５を支持するための挿通孔５７が設けられている。
【００３０】
また、ラッチ４２のロッド部４２ｃの下方には、復帰ばね４９の収容部５８が設けられている。
【００３１】
錠ケース４２内にはカバー４４取付用のねじ孔６１，６１が設けられており、図２に示すように、カバー４４が取付ねじ（図示せず）により着脱可能に取付けられている。なお、カバー４４にも、回転シャフト４５の挿通孔（図示せず）が設けられている。回転シャフト４５は、中央にドアノブ２０の角芯２０ｃを挿入する挿入口４７を有する筒状部材で、その外周部から二股フォーク状のラッチ側アーム４５ａが上方へ突設されているとともに、ラッチ側アーム４５ａの反対側に復帰操作アーム４５ｂが突設されている。
【００３２】
このうち、ラッチ側アーム４５ａの前面は案内壁５６の後側に当接可能とされていて、ロッド部４２ｃ後端の係止部４２ｄが当該ラッチ側アーム４５ａの後面に当接することにより、ラッチ４２の前進が拘束されている。他方、ラッチ４２のヘッド部４２ａには、フロント裏板４３ａと突出防止部４２ｂとの間に、圧縮ばねよりなるコイルばね４８が外嵌されており、このばね４８によりラッチ４２が常に没入方向に付勢されている。ラッチ４２のパイプ４２ｅの後端が案内壁５６の前側に当接可能とされていて、ラッチ４２の過度の後退が拘束されている。
【００３３】
そして、復帰操作アーム４５ｂの前面には、略Ｌ字状のワイヤ接続機構６３の本体６４が当接されている。
【００３４】
ワイヤ接続機構６３の本体６４は、その上部に円筒状部分６４ａが突設され、これが復帰ばね４９の一端に挿入されて、ドアノブ２０の（イ）方向への回転によりワイヤ接続機構本体６４はフロント裏板４３ａ側へ押しやられるが、ドアノブ２０から手を放すと復帰ばね４９の復元力により元の位置に復帰する。
【００３５】
ワイヤ接続機構本体６４の両側面には突起７６が突設され、これが錠ケース４３の側面およびカバー４４に穿設されたスリット７７に嵌挿されて進退自在に案内するとともに、その他の方向への動きを制限する。
【００３６】
ワイヤ接続機構本体６４は、その長軸方向にワイヤ挿通孔６８を有し、このワイヤ挿通孔６８に短い鞘２０３に納められたワイヤ２０１を遊挿する。この部分の断面を図３に示す。図３は図２のＸ−Ｘ断面を示すものである。ワイヤ接続機構６５の側面に穿設されたねじ孔６９に押しねじ７０を螺合し鞘２０３をワイヤ挿通孔６８の孔壁と押しねじ７０とで圧接固定する。ワイヤ２０１は鞘２０３端部をかしめることで鞘２０３に圧着する。このワイヤ２０１／鞘２０３間と、ワイヤ接続機構本体６４／鞘２０３間との２段階の固定により、ワイヤ２０１はワイヤ接続機構６３に接続される。
【００３７】
また、錠ケース４３の外部には亜鉛メッキ鋼板を曲げて形成されたシース定着板７５がビス止めされる。このシース定着板７５には、錠ケース４３後面のワイヤ取出孔７８に連通して、シース端部金物２０４のくびれた首部の直径より大きいがシース端部金物２０４の頭部および胴部の直径よりは小さいＵ字状の切込み７９を設け、この切込み７９にシース端部金物２０４のくびれた首部をＵ字の開口部分から挿入するとシース２０２の端部は前後に移動不能に固定される。
【００３８】
このワイヤ接続機構本体６４を介して、復帰ばね４９は回転シャフト４５を図２に矢印（ロ）で示す方向に付勢している。また、ラッチ側アーム４５ａの二股部間にラッチ４２のロッド部４２ｃが挿通されているとともに、ラッチ４２の係止部４２ｄはラッチ側アーム４５ａの二股部間に係止されているので、ドアノブ２０を回動操作して図２に矢印（イ）で示す方向に回転シャフト４５を回動することにより、ラッチ４２を永久磁石６６，６７の引合う磁力に抗して錠ケース４３内に没入することができる。
【００３９】
なお、前記ストライク５の上下端部には取付孔７１が設けられている。また、前記フロント５２には、中央に錠ケース４３のラッチ出退案内孔５４に対応してラッチ挿通孔７２が設けられ、上下端部に取付孔７３が前記フロント裏板４３ａに設けた取付孔５１に対応して設けられている。
【００４０】
図４において、１４１は本発明で採用される双頭の錠システム２の他方のラッチ錠１４１であり、部屋の出入口等のスライド・スイング式ドア１のドアパネル１３の支柱３１側の端部に取付けられ、ドア１３の端面１３ｂからラッチ１４２が出退し、支柱３１に取付けたストライク１０５のストライクボックス１０６に嵌入或いは離脱するようになっている。ストライクボックス１０６の底部には永久磁石１６７（または強磁性体）が固設されている。
【００４１】
ラッチ錠１４１は、合成樹脂（例えばプラスティック）からなり、その軸に沿って２分割可能な中空円筒状の錠ケース１４３と（図５参照）、先端部がドア１３の端面１３ｂから軸心方向に沿って出没するよう錠ケース１４３内に挿通されたラッチ１４２と、錠連結機構２００によってラッチ１４２を錠ケース１４３内に没入させる復帰機構１４５と、錠連結機構２００と連結するワイヤ接続機構１６５とから構成される。
【００４２】
更に、ラッチ錠１４１は、ステンレス鋼板製のフロント１５２を備えている。前記ラッチ１４２は、円筒状のヘッド部１４２ａと、このヘッド部１４２ａの後端（没入側端）に同ヘッド部４２ａと同軸心状に突設された突出防止部１４２ｂ、ロッド部１４２ｃおよびこのロッド部４２ｃの更に後端に設けられた係止部１４２ｄとからなり、ヘッド部１４２ａの先端は平坦面とされていて、かかるヘッド部１４２ａの先端部分がストライク１０５のストライクボックス１０６に嵌入してドア１３をロックするようになっている。ヘッド部１４２ａの先端には永久磁石１６６が固設されている。また、ヘッド部１４２ａにはラッチ１４２を常時没入側に付勢するコイルばね（ばね部材）１４８が外嵌されている。
【００４３】
錠ケース１４３は、プラスティック製の中空円筒状とされる。この円筒は、図５に示すように、フロント裏板１４３ａを備えラッチ１４２や復帰機構１４５等を内蔵する錠ケース本体１４３ｂと、カバー１４３ｃとに２分割される。
【００４４】
錠ケース１４３は、図４に示したように、前端に長円形のフロント裏板１４３ａを備えている。このフロント裏板１４３ａ中央部に、ラッチ１４２の出退案内口１５４が設けられ、長手　（上下）　方向両端部に、フロント１５２をフロント裏板１４３ａにビス止めし、かつラッチ錠１４１をドア１３にビス止めするための取付孔１５０が設けられている。錠ケース１４３の概中間部には、ラッチ１４２がその軸心方向に没入しないようにラッチ係止部１４２ｄを当接させ動きを止める案内壁１５６が突設される。この案内壁１５６はまた、錠ケース本体１４３ｂとカバー１４３ｃとを接合するボルト取付孔１５９を有している。
【００４５】
錠ケース本体１４３ｂにはカバー１４３ｃおよびシース定着板１７５取付用のねじ孔１６１，１６１が設けられており、図５に示すように、カバー１４３ｃが取付ねじ１６０，１６２，１６２により着脱可能に取付けられている。なお、カバー１４３ｃにも、取付孔１６８，１６８，１６９が設けられている。
【００４６】
復帰機構１４５は、ラッチ１４２側にはロッド１４２ｃを挿通させるが係止部１４２ｄは抜け落ちない大きさのＵ字状の切込みを有する前部１４５ａがあり、その後部には係止部１４２ｄが進退自在に移動できるスペースが設けられている。
【００４７】
復帰機構１４５の後面にはボルト孔１４６が螺設されており、ワイヤ接続機構１６５と接続するためのボルト１４７が螺合されている。このボルト１４７には、復帰機構１４５の後端と錠ケース本体１４３ｂ後端との間にコイルばね１４９が外嵌されており、このばね１４９により復帰機構１４５が常に突出方向に付勢されている。
【００４８】
ワイヤ接続機構１６５は、前記ボルト１４７の頭部とこのボルト１４７に螺合されたナット１７６に挟持されたアングル小片１７７にワイヤ２０１端部をかしめて固定可能なワッシャ１７８をボルト１７９で止めるものである。
【００４９】
また、カバー１４３ｃの外部には亜鉛メッキ鋼板を曲げて形成されたシース定着板１７５がビス止めされる。このシース定着板１７５には、シース端部金物２０４のくびれた首部の直径より大きいがシース端部金物２０４の頭部および胴部の直径よりは小さいＵ字状の切込みがあり、この切込みにシース端部金物のくびれた首部をＵ字の開口部分から挿入するとシースの端部は前後に移動不能に固定される。
【００５０】
したがって、ワイヤ２０１は、ドアノブ２０の回転に従って軸方向に移動可能であるが、シース２０２は、両端をシース定着板で固定されているためその位置は変わらない。
【００５１】
これにより、ドアノブ２０が回転されると、ワイヤ２０１は、ラッチ錠４１側に引き寄せられ、これに従って復帰機構１４５も復帰ばね１４９の反発力に逆らって錠ケース１４３の後方へ移動され、ラッチ１４２のロッド部１４２ｃも、ストライク１０５側へ突出していても、復帰機構１４５の前部１４５ａに抱えられるようにして後方へ引き寄せられる。
【００５２】
なお、前記ストライク１０５の上下端部には取付孔１７１が設けられている。また、前記フロント１５２には、中央に錠ケース１４３のラッチ出退案内孔１５４に対応してラッチ挿通孔１７２が設けられ、上下端部に取付孔１７３が前記フロント裏板４３ａに設けた取付孔１５０に対応して設けられている。
【００５３】
次に、本実施形態の動作について説明する。まず、ドア１３を閉じた状態では、ラッチ錠４１は、図２に示すように、永久磁石６６，６７の引合う磁力によってラッチ４２のヘッド部４２ａがドア縦枠１１ｓのストライク５に設けたストライクボックス６内に嵌入してドア１３がロック状態となっていて、ドアノブ２０を操作しない限りドア１３は開かない。
【００５４】
この時、ラッチ錠１４１も同様に、図４に示すように、永久磁石１６６，１６７の磁力によってラッチ１４２のヘッド部１４２ａが支柱３１のストライク１０５に設けたストライクボックス１０６内に嵌入してドア１３がロック状態となっていて、ドアノブ２０を操作し、ワイヤ２０１が引っ張られない限りドア１３は開かない。
【００５５】
そこで、ドア１３を開く場合、ドア１３のドアノブ２０を図６に矢印（イ）で示す方向に回動操作すると、回転シャフト４５の回転を介してラッチ側アーム４５ａも同様に（イ）方向に回動して、ラッチ４２を永久磁石６６，６７の引合う力に抗して図６に矢印（ハ）で示す方向に没入させ、図６に示すロック解除状態になる。このドア１３のロック解除状態のまま、すなわち、ドアノブ２０の回転を固定したままドアノブ２０を押して或いは引いてドア１３を開けると、永久磁石６６，６７間の磁力が作用しなくなり、また、コイルばね４８の反発力により、図６に示すように、ラッチ４２がそのヘッド部４２ａを錠ケース４３内に没入したままの状態になる。
【００５６】
この時、ラッチ錠１４１は、ドアノブ２０の回転操作によりワイヤ２０１が図４の（ホ）方向に引き寄せられ、これに従って復帰機構１４５も復帰ばね１４９の反発力に逆らって錠ケース１４３の後方へ移動する。また、ストライク１０５側へ突出していたラッチ１４２も、そのロッド部１４２ｃが復帰機構１４５の前部１４５ａに抱えられるようにして後方へ引き寄せられることにより没入すると、図７に示すロック解除状態になる。このドア１３のロック解除状態のままドアノブ２０を押して或いは引張ってドア１３を開けると、永久磁石１６６，１６７間の磁力が作用しなくなり、また、コイルばね１４８の反発力により、図６に示すように、ラッチ４２がそのヘッド部４２ａを錠ケース４３内に没入したままの状態になる。
【００５７】
このドアが開いた状態でドアノブ２０から手を離すと、ラッチ錠４１の復帰操作アーム４５ｂが、復帰ばね４９の復元力によって図６に矢印（ロ）で示す方向に押され、これにより回転シャフト４５が回動し、図８に示す状態に復帰するが、ラッチ４２はコイルばね４８の反発力により、錠ケース４３内に没入したままとなる。このように、ドア１３を開いた状態では、ラッチ４２のヘッド部４２ａがドア１３の端面１３ａから突出しないので、ラッチ４２のヘッド部４２ａに衣服が引掛ったり、幼児や子供が顔や頭にけがをするなどの危険性がなくなり、しかも、ラッチ４２がストライク５に衝突しないので、衝突音の発生も防止できる。
【００５８】
また、従来ならば縦枠１１ｓを保護するため、縦枠１１ｓのラッチヘッド４２ａと接触する面全体にストライク５の幅を広げなければならなかったものが、本実施形態のものによれば、ストライクボックス６周りの一部にあればよく、美観も向上する。
【００５９】
ドアノブ２０から手を離した時、ラッチ錠１４１はワイヤ２０１は図９に矢印（ヘ）で示す方向に復帰し、これに伴い復帰機構１４５も復帰ばね１４９の復元力に押されて錠ケース１４３のフロント裏板１４３ａ側へ移動される。しかし、ラッチ１４２の係止部１４２ｄは、復帰機構１４５の前部１４５ａとは分離して追随せず、ラッチ１４２はコイルばね１４８の反発力により、錠ケース４３内に没入されたままとなる。
【００６０】
この状態からさらにドア１３を閉めると、ラッチ錠４１では、ラッチヘッド部４２ａとストライク５のストライクボックス６が合致すると同時に、永久磁石６６，６７の磁力によって、コイルばね４８の復元力に抗してラッチ４２が図２に矢印（ニ）で示す方向に前進し、そのヘッド部４２ａがストライク５のストライクボックス６に嵌入して、図２に示すドア１３のロック状態に戻ることになる。ラッチ錠１４１についても同じである。
【００６１】
なお、本実施形態では、ラッチ錠４１，１４１は空錠であり、施錠状態を固定できない場合を示したが、市販のサムターン等と組合せることで施錠可能となり、容易にトイレ等でも使用できるものになる。
【００６２】
また、本実施形態では、ラッチ錠４１，１４１はマグネット構造のものを採用しているが、従来型のバネ構造のものを採用してもよい。
【００６３】
さらに、本発明に係る双頭の錠システムは、スライド・スイング式ドアのみならず、框戸であれば、通常のスイング式ドアで床および上部垂れ壁の上下でロックする場合や、回転式ドアで２枚のパネルに施錠する場合等にも使用でき、施錠の手間が一度で済み便宜である。
【００６４】
【発明の効果】
以上述べたように、本発明に係るスライド・スイング式ドア装置の双頭のロック装置によれば、框戸においてドアノブの操作のみでドアの両端面に配された２つのラッチ錠のロックが可能となる。
【図面の簡単な説明】
【図１】本発明の実施形態に係るスライド・スイング式ドアの構成を示す概略正面図。
【図２】ドアノブ側のラッチ錠のドア閉時を示す断面図。
【図３】図２のＸ−Ｘ断面図。
【図４】支柱側のラッチ錠のドア閉時を示す断面図。
【図５】支柱側のラッチ錠の平面図。
【図６】ドアノブ側のラッチ錠のドア開操作時を示す断面図。
【図７】支柱側のラッチ錠のドア開操作時を示す断面図。
【図８】ドアノブ側のラッチ錠のドア開時を示す断面図。
【図９】支柱側のラッチ錠のドア開時を示す断面図。
【図１０】本発明に先行するスライド・スイング式ドアの構成を示す概略正面図。
【図１１】本発明に先行するスライド・スイングドアの開閉を説明する図。
【符号の説明】
１…スライド・スイング式ドア、２…双頭の錠システム、５…ストライク、６…ストライクボックス、１１…３方枠体、１１ｕ…上枠、１１ｓ…縦枠、１２…床面、１３…ドア、１３ａ…ドア端面（縦枠側）、１３ｂ…ドア端面（支柱側）、１３ｃ…框、１３ｄ…ガラス、１４…吊りレール、１５…上部ピボット、１６…下部ピボット、１７…６輪吊り車、１７ａ…支軸、１８…回転吊りアーム、１８ａ…支軸、１９…回転下部アーム、２０…ドアノブ、２０ａ…室内側ドアノブ、２０ｂ…室外側ドアノブ、２０ｃ…角芯、２１…双頭連結シャフト、２２、２３…戸当り、２４…室外側カバー、２５…室内側カバー、３１…支柱、３１ａ…回転竪柱、３２…回転軸、４１…ラッチ錠、４２…ラッチ、４２ａ…ヘッド部、４２ｂ…突出防止部、４２ｃ…ロッド部、４２ｄ…係止部、４２ｅ…パイプ、４３…錠ケース、４３ａ…フロント裏板、４４…カバー、４５…回転シャフト、４５ａ…ラッチ側アーム、４５ｂ…復帰操作アーム、４７…角芯挿入口、４８…コイルばね（ばね部材）、４９…復帰ばね、５０…取付孔、５１…取付孔、５２…フロント、５４…出退案内口、５６…案内壁、５７…挿通孔、５８…収容部、６１…ねじ孔、６３…ワイヤ接続機構、６４…ワイヤ接続機構本体、６４ａ…円筒状部分、６６…永久磁石、６７…永久磁石、６８…ワイヤ挿通孔、６９…ねじ孔、７０…押しねじ、７１…取付孔、７２…ラッチ挿通口、７３…取付孔、７５…シース定着板、７６…突起、７７…スリット、７８…ワイヤ取出孔、７９…切込み、１０５…ストライク、１０６…ストライクボックス、１４１…ラッチ錠、１４２…ラッチ、１４２ａ…ヘッド部、１４２ｂ…突出防止部、１４２ｃ…ロッド部、１４２ｄ…係止部、１４３…錠ケース、１４３ａ…フロント裏板、１４３ｂ…錠ケース本体、１４３ｃ…カバー、１４５…復帰機構、１４５ａ…復帰機構前部、１４６…ボルト孔、１４７…ボルト、１４８…コイルばね（ばね部材）、１４９…復帰ばね、１５０…取付孔、１５２…フロント、１５４…出退案内口、１５６…案内壁、１５８…収容部、１６１…ねじ孔、１６２…取付ねじ、１６５…錠連結ワイヤ固定部材、１６６…永久磁石、１６７…永久磁石、１６８…取付孔、１６９…取付孔、１７１…取付孔、１７２…ラッチ挿通口、１７３…取付孔、１７４…ワイヤ挿通孔、１７５…シース定着板、１７６…ナット、１７７…アングル小片、１７８…ワッシャ、１７９…ボルト、２００…錠連結機構、２０１…ワイヤ、２０２…シース、２０３…鞘、２０４…シース端部金物。
【図１】
2004027779.tif 000003
【図２】
2004027779.tif 000004
【図３】
2004027779.tif 000005
【図４】
2004027779.tif 000006
【図５】
2004027779.tif 000007
【図６】
2004027779.tif 000008
【図７】
2004027779.tif 000009
【図８】
2004027779.tif 000010
【図９】
2004027779.tif 000011
【図１０】
2004027779.tif 000012
【図１１】
2004027779.tif 000013